(57)【要約】  配電管理装置（１０）は、配電系統の設備が互いに電気的に接続する接続点の組合せと、接続点の組合せによって定まる設備とが対応付けられた電気接続情報を記憶する。さらに、配電管理装置（１０）は、電気接続情報を参照して、所定の接続点を起点とし、組合せに含まれる接続点のうち未探索の接続点を探索しながら当該組合せに対応する設備を検索する。さらに、配電管理装置（１０）は、探索および検索が実行された後に、探索が実行された接続点の組合せ及び検索の結果として得られた設備を出力する。
2014054105.tif 000002
【特許請求の範囲】
【請求項１】
配電系統の設備が互いに電気的に接続する接続点の組合せと、前記接続点の組合せによって定まる設備とが対応付けられた電気接続情報を記憶する電気接続記憶部と、
前記電気接続記憶部に記憶された電気接続情報を参照して、所定の接続点を起点とし、前記組合せに含まれる接続点のうち未探索の接続点を探索しながら当該組合せに対応する設備を検索する検索部と、
探索および検索が実行された後に、前記探索が実行された接続点の組合せ及び前記検索の結果として得られた設備を出力する出力部と
を有することを特徴とする配電管理装置。
【請求項２】
前記電気接続情報は、前記接続点の組合せによって定まる設備が開閉器である場合に当該開閉器の開閉状態がさらに対応付けられるものであって、
前記検索部は、探索中の接続点の組合せに開状態が対応付けられている場合に当該組合せに含まれる未探索の接続点を探索対象から除外することを特徴とする請求項１に記載の配電管理装置。
【請求項３】
前記検索部は、前記接続点のうち変電所に対応する接続点を起点として探索を実行することを特徴とする請求項１に記載の配電管理装置。
【請求項４】
前記配電系統の設備と、当該設備の属性情報とが対応付けられた設備情報を記憶する設備記憶部と、
前記探索が実行された接続点の組合せ及び前記検索の結果として得られた設備と、前記設備記憶部に記憶された属性情報のうち前記検索の結果として得られた設備に対応する属性情報とを対応付ける対応付け部とを有することを特徴とする請求項１に記載の配電管理装置。
【請求項５】
前記設備のうち架設によって設置がなされない非架設の設備と、当該非架設の設備が設置される位置とが対応付けられた位置情報を記憶する位置記憶部をさらに有し、
前記設備情報に含まれる設備のうち前記非架設の設備には、前記位置情報に含まれる位置のうち当該非架設の設備の位置がさらに対応付けられ、
前記設備情報に含まれる設備のうち架設によって設置がなされる架設の設備には、前記位置情報に含まれる位置のうち当該架設の設備の両端に対応する非架設の設備の位置が対応付けられるものであって、
前記出力部は、前記設備情報を参照して、前記検索の結果として得られた設備が非架設の設備である場合には、当該非架設の設備の位置を用いる一方で、前記検索の結果として得られた設備が架設の設備である場合には、当該架設の設備の両端の位置を用いて、前記非架設の設備及び前記架設の設備が地図上に配置された表示用データを出力することを特徴とする請求項４に記載の配電管理装置。
【請求項６】
前記電気接続情報に含まれる接続点の組合せ及び設備と、前記探索が実行された接続点の組合せ及び前記検索の結果として得られた設備とを比較することによって停電設備を検出する検出部をさらに有することを特徴とする請求項１に記載の配電管理装置。
【請求項７】
コンピュータが、
配電系統の設備が互いに電気的に接続する接続点の組合せと、前記接続点の組合せによって定まる設備とが対応付けられた電気接続情報を参照して、所定の接続点を起点とし、前記組合せに含まれる接続点のうち未探索の接続点を探索しながら当該組合せに対応する設備を検索し、
探索および検索が実行された後に、前記探索が実行された接続点の組合せ及び前記検索の結果として得られた設備を出力する
処理を実行することを特徴とする配電管理方法。
【請求項８】
前記電気接続情報は、前記接続点の組合せによって定まる設備が開閉器である場合に当該開閉器の開閉状態がさらに対応付けられるものであって、
前記探索および検索を実行する処理として、
探索中の接続点の組合せに開状態が対応付けられている場合に当該組合せに含まれる未探索の接続点を探索対象から除外する処理を実行することを特徴とする請求項７に記載の配電管理方法。
【請求項９】
前記コンピュータが、
前記探索が実行された接続点の組合せ及び前記検索の結果として得られた設備と、前記配電系統の設備と当該設備の属性情報とが対応付けられた設備情報に含まれる属性情報のうち前記検索の結果として得られた設備に対応する属性情報とを対応付ける処理をさらに実行することを特徴とする請求項７に記載の配電管理方法。
【請求項１０】
前記設備情報に含まれる設備のうち架設によって設置がなされない非架設の設備には、前記非架設の設備と前記非架設の設備が設置される位置とが対応付けられた位置情報に含まれる位置のうち前記非架設の設備の位置がさらに対応付けられ、
前記設備情報に含まれる設備のうち架設によって設置がなされる架設の設備には、前記位置情報に含まれる位置のうち当該架設の設備の両端に対応する非架設の設備の位置が対応付けられるものであって、
前記接続点の組合せ及び前記設備を出力する処理として、
前記設備情報を参照して、前記検索の結果として得られた設備が非架設の設備である場合には、当該非架設の設備の位置を用いる一方で、前記検索の結果として得られた設備が架設の設備である場合には、当該架設の設備の両端の位置を用いて、前記非架設の設備及び前記架設の設備が地図上に配置された表示用データを出力する処理を実行することを特徴とする請求項９に記載の配電管理方法。
【請求項１１】
コンピュータに、
配電系統の設備が互いに電気的に接続する接続点の組合せと、前記接続点の組合せによって定まる設備とが対応付けられた電気接続情報を参照して、所定の接続点を起点とし、前記組合せに含まれる接続点のうち未探索の接続点を探索しながら当該組合せに対応する設備を検索し、
探索および検索が実行された後に、前記探索が実行された接続点の組合せ及び前記検索の結果として得られた設備を出力する
処理を実行させることを特徴とする配電管理プログラム。
【請求項１２】
前記電気接続情報は、前記接続点の組合せによって定まる設備が開閉器である場合に当該開閉器の開閉状態がさらに対応付けられるものであって、
前記探索および検索を実行する処理として、
探索中の接続点の組合せに開状態が対応付けられている場合に当該組合せに含まれる未探索の接続点を探索対象から除外する処理を実行させることを特徴とする請求項１１に記載の配電管理プログラム。
【請求項１３】
前記コンピュータに、
前記探索が実行された接続点の組合せ及び前記検索の結果として得られた設備と、前記配電系統の設備と当該設備の属性情報とが対応付けられた設備情報に含まれる属性情報のうち前記検索の結果として得られた設備に対応する属性情報とを対応付ける処理をさらに実行させることを特徴とする請求項１１に記載の配電管理プログラム。
【請求項１４】
前記設備情報に含まれる設備のうち架設によって設置がなされない非架設の設備には、前記非架設の設備と前記非架設の設備が設置される位置とが対応付けられた位置情報に含まれる位置のうち前記非架設の設備の位置がさらに対応付けられ、
前記設備情報に含まれる設備のうち架設によって設置がなされる架設の設備には、前記位置情報に含まれる位置のうち当該架設の設備の両端に対応する非架設の設備の位置が対応付けられるものであって、
前記接続点の組合せ及び前記設備を出力する処理として、
前記設備情報を参照して、前記検索の結果として得られた設備が非架設の設備である場合には、当該非架設の設備の位置を用いる一方で、前記検索の結果として得られた設備が架設の設備である場合には、当該架設の設備の両端の位置を用いて、前記非架設の設備及び前記架設の設備が地図上に配置された表示用データを出力する処理を実行させることを特徴とする請求項１３に記載の配電管理プログラム。
【発明の詳細な説明】
【技術分野】
【０００１】
本発明は、配電管理装置、配電管理方法及び配電管理プログラムに関する。
【背景技術】
【０００２】
発電所から送電された電力を変電所で変電して家庭や工場などの需要家の負荷設備に供給する配電系統が知られている。かかる電気事業者の変電所から需要家の負荷設備をつなぐ電線には、所定の電圧以上の電力を配電する高圧線と、柱上変圧器等によって変圧された電力を配電する低圧線とが含まれる。【０００３】
これら高圧線及び低圧線には、標準電圧と、標準電圧からの逸脱が許容される許容範囲とが定められている。このため、変電所から負荷設備までの配電系統を高圧線や開閉器などの設備が含まれる高圧系統と低圧線や引込線などの設備が含まれる低圧系統に分けて電圧降下の計算が実行される。その上で、電圧降下が起こる前後の電圧が高圧系統および低圧系統で許容範囲に収まるように、変電所から配電される電力の電圧を設定したり、高圧系統に配置された開閉器の切り替えによって配電系統を流れる電力の電圧が調整される。
【先行技術文献】
【特許文献】
【０００４】
【特許文献１】特開平１０−７０８４０号公報
【発明の概要】
【発明が解決しようとする課題】
【０００５】
ところで、太陽光発電等の分散型電源の普及に伴って需要家に分散型電源が設置される場合がある。この場合には、需要家に設置された分散型電源から電気事業者の配電系統へ逆潮流が発生する場合がある。このように、変電所および負荷設備の間で電力が双方向へ流れる場合には、例えば、逆潮流によって低圧系統に含まれる各設備での電力の変動が大きくなることも想定される。【０００６】
しかしながら、上記の従来技術では、配電系統の電気的な繋がりを高圧系統および低圧系統という大雑把な単位でしか把握できないという問題がある。それ故、上記の従来技術では、高圧系統および低圧系統よりも細かい単位で許容範囲を超える電圧の電力が流れる場合にその異常事態が看過されてしまうおそれがある。【０００７】
１つの側面では、配電系統の電気的な繋がりを設備単位で把握できる配電管理装置、配電管理方法及び配電管理プログラムを提供することを目的とする。
【課題を解決するための手段】
【０００８】
一態様の配電管理装置は、配電系統の設備が互いに電気的に接続する接続点の組合せと、前記接続点の組合せによって定まる設備とが対応付けられた電気接続情報を記憶する電気接続記憶部を有する。さらに、前記配電管理装置は、前記電気接続記憶部に記憶された電気接続情報を参照して、所定の接続点を起点とし、前記組合せに含まれる接続点のうち未探索の接続点を探索しながら当該組合せに対応する設備を検索する検索部を有する。さらに、前記配電管理装置は、探索および検索が実行された後に、前記探索が実行された接続点の組合せ及び前記検索の結果として得られた設備を出力する出力部を有する。
【発明の効果】
【０００９】
一実施形態によれば、配電系統の電気的な繋がりを設備単位で把握できる。
【図面の簡単な説明】
【００１０】
【図１】図１は、実施例１に係る配電管理装置の機能的構成を示すブロック図である。
【図２】図２は、エンティティの一態様を示す図である。
【図３】図３は、エンティティの相互関係の一例を示す図である。
【図４】図４は、ロケーションテーブルの一例を示す図である。
【図５】図５は、ユニットテーブルの一例を示す図である。
【図６】図６は、スパンテーブルの一例を示す図である。
【図７】図７は、ノードテーブルの一例を示す図である。
【図８】図８は、ブランチテーブルの一例を示す図である。
【図９】図９は、カレントノードテーブルの一例を示す図である。
【図１０】図１０は、カレントブランチテーブルの一例を示す図である。
【図１１】図１１は、表示用データの一例を示す図（１）である。
【図１２】図１２は、表示用データの一例を示す図（２）である。
【図１３】図１３は、表示用データの一例を示す図である。
【図１４】図１４は、実施例１に係る配電管理処理の手順を示すフローチャート（１）である。
【図１５】図１５は、実施例１に係る配電管理処理の手順を示すフローチャート（２）である。
【図１６】図１６は、実施例１に係る配電管理処理の手順を示すフローチャート（３）である。
【図１７】図１７は、実施例１及び実施例２に係る配電管理プログラムを実行するコンピュータの一例について説明するための図である。
【発明を実施するための形態】
【００１１】
以下に添付図面を参照して本願に係る配電管理装置、配電管理方法及び配電管理プログラムについて説明する。なお、この実施例は開示の技術を限定するものではない。そして、各実施例は、処理内容を矛盾させない範囲で適宜組み合わせることが可能である。
【実施例１】
【００１２】
［配電管理装置の構成］
図１は、実施例１に係る配電管理装置の機能的構成を示すブロック図である。図１に示す配電管理装置１０は、電気事業者の配電用変電所および需要家の負荷設備の間の配電系統で互いが電気的に接続された設備の配電系統情報を生成した上でクライアント端末３０へ出力する配電管理サービスを提供するものである。【００１３】
かかる配電管理装置１０の一態様としては、上記の配電管理処理を実行するＷｅｂサーバとして実装することとしてもよいし、また、上記の配電管理サービスをアウトソーシングにより提供するクラウドとして実装することもできる。他の一態様としては、パッケージソフトウェアやオンラインソフトウェアとして提供される配電管理プログラムを所望のコンピュータにプリインストール又はインストールさせることによっても実装できる。【００１４】
図１に示すように、配電管理装置１０は、通信Ｉ／Ｆ（interface）部１１と、記憶部１３と、制御部１８とを有する。なお、配電管理装置１０は、図１に示した機能部以外にも既知のコンピュータが有する各種の機能部、例えば各種の入出力デバイスや撮像デバイスなどの機能部を有することとしてもかまわない。【００１５】
通信Ｉ／Ｆ部１１は、他の装置、例えばクライアント端末３０との間で通信制御を行うインタフェースである。かかる通信Ｉ／Ｆ部１１の一態様としては、ＬＡＮ（Local  Area  Network）カードなどのネットワークインタフェースカードを採用できる。例えば、通信Ｉ／Ｆ部１１は、クライアント端末３０から配電系統情報の閲覧要求を受信したり、あるいは制御部１８によって生成された配電系統情報をクライアント端末３０へ送信したりする。【００１６】
記憶部１３は、制御部１８で実行されるＯＳ（Operating  System）や配電管理プログラムなどの各種プログラムを記憶する記憶デバイスである。記憶部１３の一態様としては、フラッシュメモリなどの半導体メモリ素子、ハードディスク、光ディスクなどの記憶装置が挙げられる。なお、記憶部１３は、上記の種類の記憶装置に限定されるものではなく、ＲＡＭ（Random  Access  Memory)、ＲＯＭ（Read  Only  Memory)であってもよい。【００１７】
記憶部１３は、制御部１８で実行されるプログラムに用いられるデータの一例として、位置情報１４と、設備情報１５と、電気接続情報１６と、配電系統情報１７を記憶する。なお、上記の位置情報１４、設備情報１５、電気接続情報１６及び配電系統情報１７以外にも、他の電子データ、例えば需要家の負荷設備における電力使用量の履歴なども併せて記憶することもできる。【００１８】
ここで、本実施例に係る配電管理装置１０では、設備が設置される位置を管理する位置の管理と、各々の設備および設備の属性情報を管理する設備の管理と、互いが電気的に接続される設備を管理する電気接続の管理との３つに分けて配電系統が管理される。【００１９】
このうち、位置の管理には、配電系統を形成する設備のうち所定の設備、例えば変電所、電柱、変圧器などが設置される位置「ロケーション（location）」がエンティティとして用いられる。また、設備の管理には、配電系統を形成する設備のうち１つの位置に紐付く設備「ユニット（unit）」と、２つの位置に紐付く設備「スパン（span）」とがエンティティとして用いられる。また、電気接続の管理には、互いの設備が電気的に接続される接続点「ノード（node）」と、複数の接続点によって定まる設備「ブランチ（branch）」とがエンティティとして用いられる。【００２０】
図２は、エンティティの一態様を示す図である。図２に示すように、ロケーションの一例としては、例えば、電柱Ｐや柱上変圧器ＴＲなどのように架設によって設置がなされない非架設の設備が設置される位置が挙げられる。この他、図示されていない配電用変電所（ＳＳ：SubStation）が設置される位置や変圧器が設置される位置もロケーションの範疇に含まれる。【００２１】
ユニットの一例としては、電柱Ｐ、開閉器ＳＷ、柱上変圧器ＴＲなどが挙げられる。この他、図示されていない配電用変電所、ＳＶＲ（Step  Voltage  Regulator）や各種の計器などもユニットの範疇に含まれる。【００２２】
スパンの一例としては、配電用変電所および柱上変圧器ＴＲの間の高圧系統に敷設される電線ＷＨ、いわゆる「高圧線」が挙げられる。スパンの他の一例としては、柱上変圧器ＴＲおよび需要家の負荷設備の間の低圧系統のうち柱上変圧器ＴＲ及び引込線の区間に敷設される電線ＷＬ、いわゆる「低圧線」の他、引込線および負荷設備の区間に敷設される電線、いわゆる「引込線」などが挙げられる。なお、高圧線ＷＨ及び低圧線ＷＬなどの電線Ｗについては、電柱Ｐに架設される単位の本数、例えば３本や２本を１つにまとめてスパンとして扱うことができる。【００２３】
ノードの一例としては、図２中の拡大図２１に示す高圧線ＷＨと開閉器ＳＷとの接続点、高圧線ＷＨと柱上変圧器ＴＲとの接続点、柱上変圧器ＴＲと低圧線ＷＬとの接続点が挙げられる。この他、図２中の拡大図２２に示す高圧線ＷＨ２１ａと高圧線ＷＨ２１ｂとが接続される点もノードの範疇に含まれる。具体的には、高圧線ＷＨ２１ａ及び高圧線ＷＨ２１ｂが通り装柱の電柱Ｐに架設されている場合にも、高圧線ＷＨ２１ａ及び高圧線ＷＨ２１ｂ間が電気的に接続されているものとみなし、高圧線ＷＨ同士が接続される点を仮想的なノードとして扱われる。【００２４】
ブランチの一例としては、図２に示す電柱Ｐ、高圧線ＷＨ、開閉器ＳＷ、柱上変圧器ＴＲ、低圧線ＷＬなどが挙げられる。この他、図示されていない配電用変電所、引込線、負荷設備などもブランチの範疇に含まれる。これら配電用変電所や負荷設備などの端点に位置する設備は、１つしかノードを持たない場合がある。【００２５】
これらロケーション、ユニット、スパン、ノード及びブランチなどのエンティティは、図３に示す関連性を有する。図３は、エンティティの相互関係の一例を示す図である。図３に示すように、ユニット及びスパンは、ロケーションとの間で互いに共通して位置が管理される点が関連する。また、ユニットおよびスパンは、ブランチとの間で互いに共通して設備が管理される点が関連する。さらに、ノードは、ロケーション及びブランチとの間で互いに共通して接続点が管理される点が関連する。【００２６】
図１の説明に戻り、位置情報１４には、上記のロケーションを管理するロケーションテーブル１４ａが含まれる。また、設備情報１５には、上記のユニットを管理するユニットテーブル１５ａと、上記のスパンを管理するスパンテーブル１５ｂとが含まれる。さらに、電気接続情報１６には、上記のノードを管理するノードテーブル１６ａと、上記のブランチを管理するブランチテーブル１６ｂとが含まれる。また、後述するように、配電系統情報１７には、カレントノードテーブル１７ａと、カレントブランチテーブル１７ｂとが含まれる。【００２７】
このうち、ロケーションテーブル１４ａの一態様としては、位置ＩＤ（identifier）、位置識別、経度および緯度などの項目が対応付けられたテーブルを採用できる。かかる「位置ＩＤ」とは、設備が設置された位置を識別する識別情報を指す。また、「位置識別」とは、位置の種類の識別を指し、例えば、配電用変電所（ＳＳ）、電柱（ＰＯＬＥ）や負荷設備（ＬＯＡＤＬ）などの種類が挙げられる。なお、ロケーションテーブル１４ａに記憶される情報は、例えば、他の既存のシステム、例えば配電系統の設備を管理する既存の配電設備管理システムから変電所、電柱、変圧器などの特定の設備の位置情報を取得することができる。【００２８】
図４は、ロケーションテーブル１４ａの一例を示す図である。例えば、図４に示す位置ＩＤ「SS0001」のロケーションは、東経１２８度０８分４８秒６６及び北緯５０度２７分２３秒０１６に位置し、配電用変電所があることを意味する。また、図４以降に図示する各種のＩＤは、例えば、配電用変電所を表す「ＳＳ」、電柱を表す「ＰＯ」や負荷設備「ＬＬ」などの設備の種別を識別可能な文字列を、ＩＤを構成する文字列の頭に付加して採番がなされる。この各種のＩＤは、設備の種別を識別可能な文字列を、ＩＤを構成する文字列の頭に付加して採番するに限らず、一意に認識できる値を付与しても良い。なお、ここでは、設備の位置を特定する項目として経度および緯度を用いる場合を例示したが、他の項目、例えばローカルな座標値、住所などを用いることもできる。【００２９】
ユニットテーブル１５ａの一態様としては、設備ＩＤ、位置ＩＤ、種別及び属性情報などの項目が対応付けられたテーブルを採用できる。かかる「設備ＩＤ」とは、設備を識別する識別情報を指し、ユニットテーブル１５ａではユニットの設備ＩＤだけが格納される。また、「種別」とは、ユニットの種別を指し、例えば電柱（ＰＯＬＥ）、開閉器（ＳＷ）、柱上変圧器（ＢＡＮＫ）や負荷設備（ＬＯＡＤＬ）などの種類が挙げられる。また、「属性情報」とは、ユニットの属性に関する情報を指し、例えば、ユニットの型番や性能、例えばユニットが変圧器である場合には変圧器の容量が登録される。かかる変圧器の容量は、現系統の設備の電気的な接続情報が抽出された際に電圧降下の計算に用いることができる。例えば、ユニットが変圧器である場合には、抵抗値、リアクタンス値や変圧器の電圧比が登録される。なお、ユニットテーブル１５ａに記憶される情報は、例えば、他の既存のシステム、例えば配電設備管理システムから取得され、取得された設備の属性情報うちユニットに分類された設備の属性情報が登録される。【００３０】
図５は、ユニットテーブル１５ａの一例を示す図である。例えば、図５に示す設備ＩＤ「PO0001P1」のユニットは、位置ＩＤ「PO0001」に対応する位置、すなわち図４に示した東経１２８度０８分４１秒７６及び北緯５０度２７分２３秒０２１に位置し、電柱であることを意味する。また、図５に示す設備ＩＤ「PO000101」のユニットは、位置ＩＤ「PO0001」に対応する位置、すなわち図４に示した東経１２８度０８分４１秒７６及び北緯５０度２７分２３秒０２１に位置し、開閉器であることを意味する。また、図５に示す設備ＩＤ「PO000701」のユニットは、位置ＩＤ「PO0007」に対応する位置、すなわち図４の例で言えば東経１２８度０８分３４秒３０及び北緯５０度２７分２７秒８４４に位置し、抵抗値「３６８００Ω」、リアクタンス値「３１３００Ω」、電圧比１を持つ柱上変圧器であることを意味する。【００３１】
スパンテーブル１５ｂの一態様としては、設備ＩＤ、位置ＩＤ１、位置ＩＤ２、種別および属性情報などの項目が対応付けられたテーブルを採用できる。ここで言う「設備ＩＤ」も、設備を識別する識別情報を指すが、スパンテーブル１５ｂにはスパンの設備ＩＤだけが格納される。また、「位置ＩＤ１」とは、スパンに紐付く２つの位置ＩＤのうち一方の位置ＩＤを指し、「位置ＩＤ２」とは、スパンに紐付く２つの位置ＩＤのうち他方の位置ＩＤを指す。また、「種別」とは、スパンの種別を指し、例えば、高圧線、低圧線及び引込線などの種類が挙げられる。また、「属性情報」は、スパンの属性に関する情報を指し、例えば、スパンの型番、太さ、材質、径間、単位（ｍ）当たりの抵抗値や単位（ｍ）当たりのリアクタンス値などが登録される。かかる径間、単位当たりの抵抗値や単位当たりのリアクタンス値は、現系統の設備の電気的な接続情報が抽出された際に電圧降下の計算に用いることができる。なお、スパンテーブル１５ｂに記憶される情報は、例えば、他の既存のシステム、例えば配電設備管理システムから取得され、取得された設備の属性情報うちスパンに分類された設備の属性情報が登録される。【００３２】
図６は、スパンテーブル１５ｂの一例を示す図である。例えば、図６に示す設備ＩＤ「SP0001」のスパンは、位置ＩＤ１「SS0001」に対応する位置および位置ＩＤ２「PO0001」に対応する位置の区間に架設された３相の高圧線であることを意味する。かかる区間は、図４を用いて説明したように、東経１２８度０８分４８秒６６及び北緯５０度２７分２３秒０１６から東経１２８度０８分４１秒７６及び北緯５０度２７分２３秒０２１の区間に相当する。さらに、設備ＩＤ「SP0001」のスパンの径間、抵抗及びリアクタンスは、それぞれ「２１ｍ」、「２２０Ω／ｍ」、「１５０Ω／ｍ」であることを意味する。なお、図６に示す種別が３Ｈである場合には、スパンが単相３線の高圧線であることを意味し、種別が３Ｌである場合には、スパンが単相３線の低圧線であることを意味し、また、種別がブランクである場合には、スパンが引込線であることを意味する。【００３３】
ノードテーブル１６ａの一態様としては、ノードＩＤ及び位置ＩＤなどの項目が対応付けられたテーブルを採用できる。かかる「ノードＩＤ」は、ノードを識別する識別情報を指す。なお、ノードテーブル１６ａに記憶される情報は、既存の他のシステム、例えば配電設備管理システムおよび配電系統の監視や開閉器の遠隔操作を行う配電自動化システムから取得される。例えば、配電設備管理システムから取得された低圧系統の設備の情報または配電自動化システムから取得された高圧系統の設備の情報からノードが抽出された後にノードの所在位置と対応付けてノードテーブル１６ａに登録される。【００３４】
図７は、ノードテーブル１６ａの一例を示す図である。例えば、図７に示すノードＩＤ「SS0001N01」の接続点は、位置ＩＤ「SS0001」に対応する位置、すなわち図４に示した東経１２８度０８分４８秒６６及び北緯５０度２７分２３秒０１６に位置することを意味する。また、図７に示すノードＩＤ「PO0001N01」及び「PO0001N02」の接続点は、いずれも位置ＩＤ「PO0001」に対応する同一の位置、すなわち図４に示した東経１２８度０８分４１秒７６及び北緯５０度２７分２３秒０２１に位置することを意味する。【００３５】
ブランチテーブル１６ｂの一態様としては、ブランチＩＤ、ノードＩＤ１、ノードＩＤ２、設備ＩＤおよび開閉区分などの項目が対応付けられたテーブルを採用できる。かかる「ブランチＩＤ」とは、ブランチを識別する識別情報を指す。また、「ノードＩＤ１」とは、ブランチが持つ２つのノードＩＤのうち一方のノードＩＤを指し、「ノードＩＤ２」とは、ブランチが持つ２つのノードＩＤのうち他方のノードＩＤを指す。ただし、配電用変電所や負荷設備などの端点に位置するブランチは、ノードＩＤ１またはノードＩＤ２のいずれかにしかノードＩＤを持たない場合がある。また、ここで言う「設備ＩＤ」も、設備を識別する識別情報を指すが、ブランチテーブル１６ｂにはユニットまたはスパンのいずれかの設備ＩＤが格納され得る。また、「開閉区分」は、開閉器のスイッチの開閉状態を指す。かかる開閉区分には、ブランチが開閉器である場合にはスイッチの「開状態」または「閉状態」のいずれかが登録されるが、ブランチが開閉器以外である場合には「ブランク」とされる。【００３６】
なお、ブランチテーブル１６ｂに記憶される情報は、既存の他のシステム、例えば配電設備管理システムおよび配電自動化システムから取得される。例えば、配電設備管理システムから取得された低圧系統の設備の情報または配電自動化システムから取得された高圧系統の設備の情報からブランチが抽出された後にブランチが持つノードと対応付けてブランチテーブル１６ｂに登録される。【００３７】
図８は、ブランチテーブル１６ｂの一例を示す図である。例えば、図８に示すブランチＩＤ「BR0001」のブランチは、ノードＩＤ１「SS0001N01」およびノードＩＤ２「PO0001N01」によって定義される設備ＩＤ「SP0001」の高圧線であることを意味する。また、図８に示すブランチＩＤ「BR0002」のブランチは、ノードＩＤ１「PO0001N01」およびノードＩＤ２「PO0001N02」によって定義される設備ＩＤ「PO000101」の開閉器であり、かつ開閉区分が「１」なので、開閉器が閉状態であることを意味する。なお、図８に示す開閉区分が「０」である場合には、開閉器が開状態であることを意味し、また、開閉区分がブランクである場合には、設備が開閉器ではないことを意味する。開閉器の閉状態とは、電気を流す状態であり、開状態は電気を流さない状態である。【００３８】
制御部１８は、各種の処理手順を規定したプログラムや制御データを格納するための内部メモリを有し、これらによって種々の処理を実行する。制御部１８は、図１に示すように、検索部１８ａと、対応付け部１８ｂと、検出部１８ｃと、出力部１８ｄとを有する。【００３９】
検索部１８ａは、電気接続情報１６を参照して、所定のノードを起点とし、ノードの組合せに含まれるノードのうち未探索のノードを探索しながら当該組合せに対応するブランチを検索する処理部である。【００４０】
一態様としては、検索部１８ａは、クライアント端末３０を介して配電系統情報の閲覧要求を受け付けた場合や前回に処理が実行されてから一定期間が経過した場合に、処理を起動する。まず、検索部１８ａは、ロケーションテーブル１４ａに記憶された位置ＩＤのうち位置種別が配電用変電所「ＳＳ」である位置ＩＤを検索する。そして、検索部１８ａは、図示しない内部メモリに記憶された探索リストに対し、ロケーションテーブル１４ａから検索されたＳＳの位置ＩＤを登録する。かかる探索リストには、探索の対象とするＳＳの位置ＩＤの他、探索時に発見された未探索のノードやブランチが随時登録される。なお、ここでは、ロケーションテーブル１４ａからＳＳの位置ＩＤを検索する場合を例示したが、ノードテーブル１６ａやブランチテーブル１６ｂに記憶されたノードＩＤのうち文字列が「ＳＳ」で始まるノードＩＤを検索することとしてもかまわない。【００４１】
続いて、検索部１８ａは、探索リストに登録されたＳＳの位置ＩＤを１つ選択する。そして、検索部１８ａは、ノードテーブル１６ａに記憶されたノードのうち先に選択が実行されたＳＳの位置ＩＤに対応するノードを検索する。その上で、検索部１８ａは、ノードテーブル１６ａから検索されたノードのレコードを、記憶部１３に配電系統情報１７として記憶されたカレントノードテーブル１７ａへ登録する。さらに、検索部１８ａは、ノードテーブル１６ａから検索されたノードを探索リストに登録する。なお、ＳＳが複数のＳＳバンクを有する場合には、１つの位置ＩＤを用いて検索がなされた場合でも複数のノードのレコードが検索される。【００４２】
そして、検索部１８ａは、探索リストに登録されたノードを１つ選択する。続いて、検索部１８ａは、ブランチテーブル１６ｂに記憶されたブランチのうち先に選択が実行されたノードが含まれるノードＩＤの組合せ、すなわちノードＩＤ１及びノードＩＤ２の組合せを持つブランチのレコードを検索する。その上で、検索部１８ａは、ブランチテーブル１６ｂから検索されたブランチのレコードを、記憶部１３に配電系統情報１７として記憶されたカレントブランチテーブル１７ｂへ登録する。さらに、検索部１８ａは、ブランチテーブル１６ｂから検索されたブランチを探索リストに登録する。このとき、探索リストに登録されるのは、例えば、ブランチＩＤであってもよいし、また、設備ＩＤであってもかまわない。【００４３】
続いて、検索部１８ａは、探索リストに登録されたブランチを１つ選択する。そして、検索部１８ａは、スパンテーブル１５ｂから先に選択が実行されたブランチの設備ＩＤに対応する属性情報を検索する。このとき、ブランチがスパンである場合には、スパンテーブル１５ｂから属性情報を検索できるが、ブランチがユニットである場合には、属性情報を検索できない。このため、検索部１８ａは、スパンテーブル１５ｂから属性情報を検索できなかった場合には、ユニットテーブル１５ａから先に選択が実行されたブランチの設備ＩＤに対応する属性情報を検索する。【００４４】
その後、検索部１８ａは、ノードの組合せのうち探索に用いられたノードとは対となる他方のノードがブランクではない場合に、当該ブランチが開閉器であるか否かを判定する。そして、検索部１８ａは、ブランチが開閉器である場合には、開閉器のスイッチが閉状態であるか否か、すなわち開閉区分が「１」であるか否かを判定する。このとき、検索部１８ａは、開閉器のスイッチが閉状態である場合には、開閉器が通電している状態、すなわちＯＮ状態であるので、ノードテーブル１６ａから他方のノードのレコードを検索した上で配電系統情報１７のカレントノードテーブル１７ａへ登録する。さらに、検索部１８ａは、他方のノードを未探索のノードとして探索リストへ追加する。【００４５】
そして、検索部１８ａは、探索リストに登録されたブランチを全て探索するまで、未探索のブランチの選択からこれまでの処理を繰り返し実行する。その後、検索部１８ａは、探索リストに登録されたブランチを全て探索すると、探索リストに登録されたノードを全て探索するまで、未探索のノードの選択からこれまでの処理を繰り返し実行する。そして、検索部１８ａは、探索リストに登録されたＳＳの位置ＩＤを全て探索するまで、未探索のＳＳの位置ＩＤの選択からこれまでの処理を繰り返し実行する。【００４６】
ここで、図４〜図８の各テーブルを用いて、検索部１８ａの検索処理を具体的に説明する。最初に、図４に示したロケーションテーブル１４ａに記憶された位置ＩＤのうち位置種別が配電用変電所「ＳＳ」である位置ＩＤ「SS0001」が検索される。すると、ロケーションテーブル１４ａから検索されたＳＳの位置ＩＤ「SS0001」が探索リストに登録される。この場合、探索リストには、ＳＳの位置ＩＤが「SS0001」しか登録されていないので、位置ＩＤ「SS0001」が選択される。これを受けて、図７に示したノードテーブル１６ａに記憶されたノードのうち先に選択が実行されたＳＳの位置ＩＤ「SS0001」に対応するノードＩＤ「SS0001N01」が検索される。続いて、ノードテーブル１６ａから検索されたノードＩＤ「SS0001N01」のレコードがカレントノードテーブル１７ａへ登録される。さらに、ノードテーブル１６ａから検索されたノードＩＤ「SS0001N01」が探索リストにも登録される。この場合、探索リストには、ノードＩＤが「SS0001N01」しか登録されていないので、ノードＩＤ「SS0001N01」が選択される。【００４７】
すると、図８に示したブランチテーブル１６ｂに記憶されたブランチのうち先に選択が実行されたノードＩＤ「SS0001N01」が含まれるノードＩＤ１「SS0001N01」及びノードＩＤ２「PO0001N01」の組合せを持つ設備ＩＤ「SP0001」のブランチが検索される。その上で、ブランチテーブル１６ｂから検索された設備ＩＤ「SP0001」のブランチのレコードがカレントブランチテーブル１７ｂへ登録される。さらに、ブランチテーブル１６ｂから検索された設備ＩＤ「SP0001」が探索リストに登録される。この場合、探索リストには、設備ＩＤが「SP0001」しか登録されていないので、設備ＩＤ「SP0001」が選択される。【００４８】
すると、図６に示したスパンテーブル１５ｂから先に選択が実行された設備ＩＤ「SP0001」に対応するスパンの属性情報「径間２１ｍ、抵抗ＲＨ１、リアクタンスＸＨ１」が検索される。なお、ここでは、スパンの属性情報が検索される場合を例示したが、「SP」以外の文字列で始まる設備ＩＤの場合には、スパンテーブル１５ｂからは属性情報が検索されず、図５に示したユニットテーブル１５ａからユニットの属性情報が検索されることになる。【００４９】
このようにして得られた属性情報「径間２１ｍ、抵抗２２０Ω／ｍ、リアクタンス１５０Ω／ｍ」から、抵抗値４６２１（２２０×２１）Ω、リアクタンス値３１５０（１５０×２１）Ωがスパンテーブル１５ｂの検索に用いられた設備ＩＤ「SP0001」のブランチのレコードに対応付けてカレントブランチテーブル１７ｂに登録される。【００５０】
その後、ノードＩＤ１「SS0001N01」及びノードＩＤ２「PO0001N01」の組合せには、探索に用いられたノードＩＤ「SS0001N01」とは対となる他方のノードＩＤに「PO0001N01」が値として設定されている。このように、他方のノードＩＤがブランクではないので、当該設備ＩＤ「SP0001」のブランチが開閉器であるか否かが判定される。そして、設備ＩＤ「SP0001」のブランチは、開閉区分の値がブランクであり、開閉器ではない。よって、ノードテーブル１６ａから他方のノードＩＤ「PO0001N01」のレコードを検索した上で他方のノードＩＤ「PO0001N01」のレコードが配電系統情報１７のカレントノードテーブル１７ａへ登録される。さらに、他方のノードＩＤ「PO0001N01」が未探索のノードとして探索リストへ追加される。【００５１】
このように、他方のノードＩＤ「PO0001N01」が未探索のノードとして探索リストへ登録された時点では、ノードＩＤ「PO0001N01」以外にノードＩＤが登録されていない。このため、ノードＩＤ「PO0001N01」が選択された上で探索が継続される。【００５２】
なお、ここでは、他方のノードＩＤがブランクではない場合を例示したが、他方のノードＩＤがブランクである場合には、探索リストに登録された未探索のブランチの探索が実行される。また、未探索のブランチがなければ未探索のノードの探索が実行される。そして、未探索のＳＳの位置ＩＤがなければ探索が終了される。また、ここでは、ブランチが開閉器でない場合を例示したが、開閉器である場合には、開閉器のスイッチが閉状態でなければ他方のノードＩＤの検索、さらには、探索リストへの他方のノードの追加は実行されない。これは、開閉器のスイッチが開状態である場合に、他方のノードＩＤの検索や探索リストへの他方のノードの追加を実行すると、電気的に接続されていない異なる配電系統をカレントノードテーブル１７ａやカレントブランチテーブル１７ｂに誤登録することになるからである。【００５３】
図１の説明に戻り、対応付け部１８ｂは、探索が実行された接続点の組合せ及び検索の結果として得られた設備と、設備情報１５に含まれる属性情報のうち検索の結果として得られた設備に対応する属性情報とを対応付ける処理部である。一態様としては、対応付け部１８ｂは、探索が実行されたブランチのレコードと、スパンテーブル１５ｂまたはユニットテーブル１５ａから検索されたブランチの属性情報とを対応付ける。例えば、対応付け部１８ｂは、カレントブランチテーブル１７ｂに記憶されたレコードのうちスパンテーブル１５ｂまたはユニットテーブル１５ａの検索に用いたブランチのレコードに対応付けて当該ブランチの属性情報を登録する。このとき、対応付け部１８ｂは、ユニットテーブル１５ａまたはスパンテーブル１５ｂからブランチの設備ＩＤに対応する位置ＩＤを検索した上でその位置ＩＤをさらに対応付けることもできる。【００５４】
これによって、探索の終了後に、カレントブランチテーブル１７ｂでブランチのレコードとブランチの属性情報とが対応付けられる結果、互いが電気的に接続された現系統の設備及び現系統の設備の属性情報が対応付けられた配電系統情報１７を生成できる。【００５５】
ここで、カレントノードテーブル１７ａとカレントブランチテーブル１７ｂについて説明する。図９は、カレントノードテーブル１７ａの一例を示す図である。図１０は、カレントブランチテーブル１７ｂの一例を示す図である。これら図９及び図１０には、ノードＩＤ「SS0001N01」を起点とし、図４〜図８に示した各テーブルを用いて生成されたカレントノードテーブル１７ａ及びカレントブランチテーブル１７ｂが図示されている。【００５６】
図９に示すように、カレントノードテーブル１７ａのレコードのうち需要家の負荷設備と配電系統の設備との接続点であるノード「LL0001N01」、「LL0002N01」、「LL0003N01」、「LL0004N01」、「LL0005N01」、「LL0006N01」、「LL0007N01」及び「LL0008N01」のレコードには、スマートメータ等の計量器によって計量された電力使用量が属性情報の一例として登録される。かかる電力使用量には、負荷設備によって消費される「有効電力」と、負荷設備によって消費されない「無効電力」とが含まれる。このうち、無効電力は、遅れ無効電力とも呼ばれる。これらの電力使用量（有効）および電力使用量（無効）は、各ノードにおける電圧を計算する場合に参照される。【００５７】
図１０に示すように、カレントブランチテーブル１７ｂのレコードのうちブランチの設備が開閉器であるレコードには、ブランチテーブル１６ｂに登録されていた開閉区分の値が登録される。例えば、ブランチＩＤ「BR0002」、「BR0006」及び「BR0019」の開閉器には、いずれも開閉区分に「１」が登録されているので、開閉器のスイッチが閉状態であり、通電状態にあることを意味する。図１０には、開閉区分が「１」である開閉器を例示したが、開閉器の開閉区分が「０」である場合には、開閉器のスイッチが開状態であり、通電状態にないことを意味する。また、カレントブランチテーブル１７ｂの各レコードには、リアクタンス値Ｘと抵抗値Ｒとが属性情報の一例として登録される。このうち、ブランチの設備がユニットである設備、例えば開閉器や変圧器などには、ユニットテーブル１５ａに登録されていたリアクタンス値Ｘと抵抗値Ｒが属性情報としてそのまま登録される。一方、ブランチの設備がスパンである設備には、スパンテーブル１５に登録されている単位当たりのリアクタンス値に径間の値が乗算された値がリアクタンス値Ｘとして登録されるとともに、単位当たりの抵抗値に径間の値が乗算された値が抵抗値Ｒとして登録される。これらユニット及びスパンのリアクタンス値Ｘ及び抵抗値Ｒは、各ノードにおける電圧を計算する場合に参照される。【００５８】
なお、ここでは、電圧の計算に使用されるパラメータとして、電力使用量（有効）、電力使用量（無効）、抵抗値やリアクタンス値を例示したが、カレントノードテーブル１７ａまたはカレントブランチテーブル１７ｂのいずれかのテーブルに変圧器が接続される接続相の項目を追加することによって電圧の計算をより精密に行うことができる。例えば、電線が単相３線である場合には、柱上で電線に接続される変圧器の１台目を「接続相１」とし、２台目を「接続相２」とし、３台目を「接続相３」とし、３線の電線のうち１本目と２本目に変圧器が接続される場合には値「Ａ」を登録し、２本目と３本目に変圧器が接続される場合には値「Ｂ」を登録し、１本目と３本目に変圧器が接続される場合には値「Ｃ」を登録することができる。【００５９】
検出部１８ｃは、電気接続情報１６及び配電系統情報１７を比較して、停電設備を検出する処理部である。一態様としては、検出部１８ｃは、ブランチテーブル１６ｂに記憶されたブランチのレコードと、カレントブランチテーブル１７ｂに記憶されたブランチのレコードとを突合する。このとき、検出部１８ｃは、ブランチテーブル１６ｂにカレントブランチテーブル１７ｂと一致しないブランチのレコードが存在する場合には、当該ブランチのレコードに含まれる設備ＩＤの設備を停電箇所として検出する。これによって、事故や故障の異常ではなく、送電を停止している設備を自動的に検出できる。【００６０】
出力部１８ｄは、配電系統情報１７を用いて、クライアント端末３０への出力制御を実行する処理部である。一態様としては、出力部１８ｄは、記憶部１３に記憶されたカレントブランチテーブル１７ｂに含まれる設備ＩＤのうち所定の設備ＩＤ、例えばＳＳの設備ＩＤやクライアント端末３０から指定を受け付けた任意の設備ＩＤを選択する。そして、出力部１８ｄは、先に選択された設備ＩＤに対応付けられたノードＩＤの組合せのうちＳＳに最寄りのノードＩＤを階層構造のルートに設定する。続いて、出力部１８ｄは、ルートから終端となる負荷設備の設備ＩＤへ向けてノードの数を経るほどノードへ付与する階層を下げ、ルートから終端までの各ノード間に設備が配置された現系統のグラフ構造の表示用データを生成する。その上で、出力部１８ｄは、現系統のグラフ構造の表示用データをクライアント端末３０へ送信することによってクライアント端末３０に現系統のグラフ構造を表示させる。なお、ここでは、表示用データをクライアント端末３０に表示させる場合を例示したが、配電管理装置１０が有する表示部に表示させることとしてもかまわない。【００６１】
図１１及び図１２は、表示用データの一例を示す図である。図１１及び図１２には、図９に示したカレントノードテーブル１７ａと図１０に示したカレントブランチテーブル１７ｂとがグラフ構造で表現された場合における表示用データが図示されている。図１１及び図１２に示す表示用データでは、ノードＩＤ「SS0001N01」のノードが階層構造のルート（１階層）に設定されている。さらに、図１１及び図１２に示す表示用データでは、ルートから終端となる設備ＩＤ「LL000101」、「LL000201」、「LL000301」、「LL000401」、「LL000501」、「LL000601」、「LL000701」、「LL000801」の８つの負荷設備へ向かうルートが図示されている。このうち、ＳＳバンクから設備ＩＤ「LL000801」の負荷設備までの階層が１０階層と最も浅く、ＳＳバンクから設備ＩＤ「LL000201」、「LL000301」及び「LL000401」の負荷設備までの階層が１９階層と最も深いことがわかる。その上、図１１及び図１２に示す表示用データでは、高圧系統や低圧系統といった大雑把な単位ではなく、設備単位、さらには、設備間の接続点単位に細分化して配電系統の電気的な繋がりを把握することができる。【００６２】
他の一態様としては、出力部１８ｄは、地図上にユニット及びスパンなどの設備が配置された表示データを生成することもできる。例えば、出力部１８ｄは、カレントブランチテーブル１７ｂに含まれる設備がユニットである場合には、位置情報１４及び設備情報１５を参照して、当該ユニットの設備の位置を取得する。一方、出力部１８ｄは、カレントブランチテーブル１７ｂに含まれる設備がスパンである場合には、当該スパンの設備の両端の位置を取得する。その上で、出力部１８ｄは、ユニットの位置及びスパンの両端の位置を用いて、ユニット及びスパンが地図上に配置された表示用データを出力することもできる。【００６３】
図１３は、表示用データの一例を示す図である。図１３に示す表示用データでは、図１１及び図１２に示した表示用データと同様に、ＳＳバンクから設備ＩＤ「LL000801」の負荷設備までの階層が１０階層と最も浅く、ＳＳバンクから設備ＩＤ「LL000201」、「LL000301」及び「LL000401」の負荷設備までの階層が１９階層と最も深いことを把握できる。このように、図１３に示す表示用データでは、図１１及び図１２に示した表示用データと同様に、高圧系統や低圧系統といった大雑把な単位ではなく、設備単位、さらには、設備間の接続点単位に細分化して配電系統の電気的な繋がりを把握することもできる。その上、図１３に示す表示用データでは、ユニット及びスパンの表示位置が実在の位置と対応しているので、ユニット及びスパンなどの設備の修理や延設などを計画し易くできる。また、地図上にある地理的要素、例えば配電系統の設備以外の道路や鉄道などのインフラ、さらには、ランドマークとの間で見比べることができるので、現地に赴く場合にも有用である。【００６４】
更なる一態様としては、出力部１８ｄは、グラフ構造または地図に配置された設備の近傍に属性情報が付加された属性情報付きの表示用データを生成することもできる。例えば、出力部１８ｄは、変圧器の近傍には電圧比を表示したり、高圧線、低圧線や引込線などの電線の近傍には抵抗およびリアクタンスを表示させたりすることができる。【００６５】
他の一態様としては、出力部１８ｄは、カレントブランチテーブル１７ｂに含まれる設備の属性情報、例えば変圧器の電圧比や電線の抵抗およびリアクタンス等と、記憶部１３に記憶された各負荷設備の電力使用量の履歴とを用いて、各ノードにおける電圧を計算することもできる。その上で、出力部１８ｄは、グラフ構造または地図に配置された各ノードの近傍に当該ノードの電圧値が付加された現系統の電圧値付きの表示用データを生成することもできる。【００６６】
なお、制御部１８には、各種の集積回路や電子回路を採用できる。また、制御部１８が有する機能部の一部を別の集積回路や電子回路とすることもできる。例えば、集積回路としては、ＡＳＩＣ（Application  Specific  Integrated  Circuit）が挙げられる。また、電子回路としては、ＣＰＵ（Central  Processing  Unit）やＭＰＵ（Micro  Processing  Unit）などが挙げられる。【００６７】
［処理の流れ］
次に、本実施例に係る配電管理装置の処理の流れについて説明する。図１４〜図１６は、実施例１に係る配電管理処理の手順を示すフローチャートである。この配電管理処理は、クライアント端末３０を介して配電系統情報の閲覧要求を受け付けた場合や前回に処理が実行されてから一定期間が経過した場合に、処理が開始される。【００６８】
図１４に示すように、検索部１８ａは、ロケーションテーブル１４ａに記憶された位置ＩＤのうち位置種別が配電用変電所「ＳＳ」である位置ＩＤを検索する（ステップＳ１０１）。そして、検索部１８ａは、ロケーションテーブル１４ａから検索されたＳＳの位置ＩＤを探索リストへ登録する（ステップＳ１０２）。【００６９】
続いて、検索部１８ａは、探索リストに登録されたＳＳの位置ＩＤを１つ選択する（ステップＳ１０３）。そして、検索部１８ａは、ノードテーブル１６ａに記憶されたノードのうち先に選択が実行されたＳＳの位置ＩＤに対応するノードを検索する（ステップＳ１０４）。【００７０】
その上で、検索部１８ａは、ノードテーブル１６ａから検索されたノードのレコードを、記憶部１３に配電系統情報１７として記憶されたカレントノードテーブル１７ａへ登録する（ステップＳ１０５）。さらに、検索部１８ａは、ノードテーブル１６ａから検索されたノードを探索リストへ登録する（ステップＳ１０６）。【００７１】
そして、検索部１８ａは、探索リストに登録されたノードを１つ選択する（ステップＳ１０７）。続いて、検索部１８ａは、ブランチテーブル１６ｂに記憶されたブランチのうちステップＳ１０７で選択されたノードが含まれるノードＩＤの組合せ、すなわちノードＩＤ１及びノードＩＤ２の組合せを持つブランチのレコードを検索する（ステップＳ１０８）。【００７２】
その上で、検索部１８ａは、ステップＳ１０８で検索されたブランチのレコードをカレントブランチテーブル１７ｂへ登録する（ステップＳ１０９）。さらに、検索部１８ａは、ステップＳ１０８で検索されたブランチを探索リストに登録する（ステップＳ１１０）。続いて、検索部１８ａは、探索リストに登録されたブランチを１つ選択する（ステップＳ１１１）。【００７３】
そして、検索部１８ａは、図１５に示すように、スパンテーブル１５ｂからステップＳ１１１で選択されたブランチの設備ＩＤに対応する属性情報を検索する（ステップＳ１１２）。このとき、スパンテーブル１５ｂから属性情報を検索できなかった場合、すなわち属性情報がヒットしなかった場合（ステップＳ１１３Ｎｏ）には、検索部１８ａは、次のような処理を実行する。【００７４】
すなわち、検索部１８ａは、ユニットテーブル１５ａからステップＳ１１１で選択されたブランチの設備ＩＤに対応する属性情報を検索する（ステップＳ１１４）。なお、スパンテーブル１５ｂから属性情報を検索できた場合（ステップＳ１１３Ｙｅｓ）には、ステップＳ１１４の処理をとばしてステップＳ１１５の処理へ移行する。【００７５】
そして、対応付け部１８ｂは、カレントブランチテーブル１７ｂに記憶されたレコードのうちスパンテーブル１５ｂまたはユニットテーブル１５ａの検索に用いたブランチのレコードに対応付けて当該ブランチの属性情報を登録する（ステップＳ１１５）。【００７６】
その後、検索部１８ａは、ステップＳ１０８で検索されたブランチが含むノードの組合せのうちステップＳ１０８で探索に用いられたノードとは対となる他方のノードがブランクであるか否かを判定する（ステップＳ１１６）。【００７７】
このとき、他方のノードがブランクでない場合（ステップＳ１１６Ｙｅｓ）には、検索部１８ａは、当該ブランチが開閉器であるか否かをさらに判定する（ステップＳ１１７）。そして、ブランチが開閉器である場合（ステップＳ１１７Ｙｅｓ）には、検索部１８ａは、開閉器のスイッチが閉状態であるか否か、すなわち開閉器がＯＮ状態であるか否かをさらに判定する（ステップＳ１１８）。【００７８】
ここで、開閉器がＯＮ状態である場合（ステップＳ１１８Ｙｅｓ）には、検索部１８ａは、ノードテーブル１６ａから他方のノードのレコードを検索した上で配電系統情報１７のカレントノードテーブル１７ａへ登録する（ステップＳ１１９）。さらに、検索部１８ａは、他方のノードを未探索のノードとして探索リストへ追加する（ステップＳ１２０）。【００７９】
また、ブランチが開閉器でない場合（ステップＳ１１７Ｎｏ）にも、検索部１８ａは、ノードテーブル１６ａから他方のノードのレコードを検索した上で配電系統情報１７のカレントノードテーブル１７ａへ登録する（ステップＳ１１９）。さらに、検索部１８ａは、他方のノードを未探索のノードとして探索リストへ追加する（ステップＳ１２０）。【００８０】
一方、他方のノードがブランクである場合もしくは開閉器がＯＦＦ状態である場合（ステップＳ１１６ＮｏまたはステップＳ１１８Ｎｏ）には、ステップＳ１２１の処理へ移行する。【００８１】
その後、検索部１８ａは、探索リストに登録されたブランチを全て探索したか否かを判定する（ステップＳ１２１）。このとき、探索リストに登録されたブランチが全て探索されていない場合（ステップＳ１２１Ｎｏ）には、未探索のブランチが選択された後（ステップＳ１１１）、ステップＳ１１２〜ステップＳ１２１までの処理が繰り返し実行される。【００８２】
そして、探索リストに登録されたブランチが全て探索されると（ステップＳ１２１Ｙｅｓ）、検索部１８ａは、探索リストに登録されたノードを全て探索したか否かを判定する（ステップＳ１２２）。このとき、探索リストに登録されたノードが全て探索されていない場合（ステップＳ１２２Ｎｏ）には、未探索のノードが選択された後（ステップＳ１０７）、ステップＳ１０８〜ステップＳ１２１までの処理が繰り返し実行される。【００８３】
その後、探索リストに登録されたノードが全て探索されると（ステップＳ１２２Ｙｅｓ）、検索部１８ａは、探索リストに登録されたＳＳの位置ＩＤを全て探索したか否かを判定する（ステップＳ１２３）。このとき、探索リストに登録されたＳＳの位置ＩＤが全て探索されていない場合（ステップＳ１２３Ｎｏ）には、未探索のＳＳの位置ＩＤが選択された後（ステップＳ１０３）、ステップＳ１０４〜ステップＳ１２２までの処理が繰り返し実行される。【００８４】
そして、探索リストに登録されたＳＳの位置ＩＤが全て探索された場合（ステップＳ１２３Ｙｅｓ）には、図１６に示すように、検出部１８ｃは、ブランチテーブル１６ｂに記憶されたブランチのレコードと、カレントブランチテーブル１７ｂに記憶されたブランチのレコードとを突合する（ステップＳ１２４）。【００８５】
ここで、ブランチテーブル１６ｂにカレントブランチテーブル１７ｂと一致しないブランチのレコードが存在する場合（ステップＳ１２５Ｙｅｓ）には、検出部１８ｃは、当該ブランチのレコードに含まれる設備ＩＤの設備を停電箇所として検出し（ステップＳ１２６）、処理を終了する。一方、ブランチテーブル１６ｂにカレントブランチテーブル１７ｂと一致しないブランチのレコードが存在しない場合（ステップＳ１２５Ｎｏ）には、そのまま処理を終了する。【００８６】
［実施例１の構成］
上述してきたように、本実施例に係る配電管理装置１０は、配電系統の設備が互いに電気的に接続する接続点の組合せのうち未探索の接続点を探索しながら接続点の組合せによって定まる設備を検索した上で設備の接続情報を出力する。したがって、本実施例に係る配電管理装置１０では、配電系統の電気的な繋がりを設備単位で把握できる。
【実施例２】
【００８７】
さて、これまで開示の装置に関する実施例について説明したが、本発明は上述した実施例以外にも、種々の異なる形態にて実施されてよいものである。そこで、以下では、本発明に含まれる他の実施例を説明する。【００８８】
［分散および統合］
また、図示した各装置の各構成要素は、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、検索部１８ａ、対応付け部１８ｂ、検出部１８ｃまたは出力部１８ｄを配電管理装置１０の外部装置としてネットワーク経由で接続するようにしてもよい。また、検索部１８ａ、対応付け部１８ｂ、検出部１８ｃまたは出力部１８ｄを別の装置がそれぞれ有し、ネットワーク接続されて協働することで、上記の配電管理装置１０の機能を実現するようにしてもよい。【００８９】
［配電管理プログラム］
また、上記の実施例で説明した各種の処理は、予め用意されたプログラムをパーソナルコンピュータやワークステーションなどのコンピュータで実行することによって実現することができる。そこで、以下では、図１７を用いて、上記の実施例と同様の機能を有する配電管理プログラムを実行するコンピュータの一例について説明する。【００９０】
図１７は、実施例１及び実施例２に係る配電管理プログラムを実行するコンピュータの一例について説明するための図である。図１７に示すように、コンピュータ１００は、操作部１１０ａと、スピーカ１１０ｂと、カメラ１１０ｃと、ディスプレイ１２０と、通信部１３０とを有する。さらに、このコンピュータ１００は、ＣＰＵ１５０と、ＲＯＭ１６０と、ＨＤＤ１７０と、ＲＡＭ１８０とを有する。これら１１０〜１８０の各部はバス１４０を介して接続される。【００９１】
ＨＤＤ１７０には、図１７に示すように、上記の実施例１で示した検索部１８ａ、対応付け部１８ｂ、検出部１８ｃ及び出力部１８ｄと同様の機能を発揮する配電管理プログラム１７０ａが予め記憶される。この配電管理プログラム１７０ａについては、図１に示した各々の検索部１８ａ、対応付け部１８ｂ、検出部１８ｃ及び出力部１８ｄの各構成要素と同様、適宜統合又は分離しても良い。すなわち、ＨＤＤ１７０に格納される各データは、常に全てのデータがＨＤＤ１７０に格納される必要はなく、処理に必要なデータのみがＨＤＤ１７０に格納されれば良い。【００９２】
そして、ＣＰＵ１５０が、配電管理プログラム１７０ａをＨＤＤ１７０から読み出してＲＡＭ１８０に展開する。これによって、図１７に示すように、配電管理プログラム１７０ａは、配電管理プロセス１８０ａとして機能する。この配電管理プロセス１８０ａは、ＨＤＤ１７０から読み出した各種データを適宜ＲＡＭ１８０上の自身に割り当てられた領域に展開し、この展開した各種データに基づいて各種処理を実行する。なお、配電管理プロセス１８０ａは、図１に示した検索部１８ａ、対応付け部１８ｂ、検出部１８ｃ及び出力部１８ｄにて実行される処理、例えば図１４〜図１６に示す処理を含む。また、ＣＰＵ１５０上で仮想的に実現される各処理部は、常に全ての処理部がＣＰＵ１５０上で動作する必要はなく、処理に必要な処理部のみが仮想的に実現されれば良い。【００９３】
なお、上記の配電管理プログラム１７０ａについては、必ずしも最初からＨＤＤ１７０やＲＯＭ１６０に記憶させておく必要はない。例えば、コンピュータ１００に挿入されるフレキシブルディスク、いわゆるＦＤ、ＣＤ−ＲＯＭ、ＤＶＤディスク、光磁気ディスク、ＩＣカードなどの「可搬用の物理媒体」に各プログラムを記憶させる。そして、コンピュータ１００がこれらの可搬用の物理媒体から各プログラムを取得して実行するようにしてもよい。また、公衆回線、インターネット、ＬＡＮ、ＷＡＮなどを介してコンピュータ１００に接続される他のコンピュータまたはサーバ装置などに各プログラムを記憶させておき、コンピュータ１００がこれらから各プログラムを取得して実行するようにしてもよい。
【符号の説明】
【００９４】
１０    配電管理装置
１１    通信Ｉ／Ｆ部
１３    記憶部
１４    位置情報
１４ａ  ロケーションテーブル
１５    設備情報
１５ａ  ユニットテーブル
１５ｂ  スパンテーブル
１６    電気接続情報
１６ａ  ノードテーブル
１６ｂ  ブランチテーブル
１７    配電系統情報
１７ａ  カレントノードテーブル
１７ｂ  カレントブランチテーブル
１８    制御部
１８ａ  検索部
１８ｂ  対応付け部
１８ｃ  検出部
１８ｄ  出力部
【図１】
2014054105.tif 000003
【図２】
2014054105.tif 000004
【図３】
2014054105.tif 000005
【図４】
2014054105.tif 000006
【図５】
2014054105.tif 000007
【図６】
2014054105.tif 000008
【図７】
2014054105.tif 000009
【図８】
2014054105.tif 000010
【図９】
2014054105.tif 000011
【図１０】
2014054105.tif 000012
【図１１】
2014054105.tif 000013
【図１２】
2014054105.tif 000014
【図１３】
2014054105.tif 000015
【図１４】
2014054105.tif 000016
【図１５】
2014054105.tif 000017
【図１６】
2014054105.tif 000018
【図１７】
2014054105.tif 000019
【手続補正書】
【提出日】平成27年4月10日(2015.4.10)
【手続補正１】
【補正対象書類名】特許請求の範囲
【補正対象項目名】全文
【補正方法】変更
【補正の内容】
【特許請求の範囲】
【請求項１】
配電系統の設備が互いに電気的に接続する接続点の組合せと、前記接続点の組合せによって定まる設備とが対応付けられた電気接続情報を記憶する電気接続記憶部と、
前記電気接続記憶部に記憶された電気接続情報を参照して、所定の接続点を起点とし、前記組合せに含まれる接続点のうち未探索の接続点を探索しながら当該組合せに対応する設備を検索する検索部と、
探索および検索が実行された後に、前記探索が実行された接続点の組合せ及び前記検索の結果として得られた設備を出力する出力部と
を有することを特徴とする配電管理装置。
【請求項２】
前記電気接続情報は、前記接続点の組合せによって定まる設備が開閉器である場合に当該開閉器の開閉状態がさらに対応付けられるものであって、
前記検索部は、探索中の接続点の組合せに開状態が対応付けられている場合に当該組合せに含まれる未探索の接続点を探索対象から除外することを特徴とする請求項１に記載の配電管理装置。
【請求項３】
前記検索部は、前記接続点のうち変電所に対応する接続点を起点として探索を実行することを特徴とする請求項１に記載の配電管理装置。
【請求項４】
前記配電系統の設備と、当該設備の属性情報とが対応付けられた設備情報を記憶する設備記憶部と、
前記探索が実行された接続点の組合せ及び前記検索の結果として得られた設備と、前記設備記憶部に記憶された属性情報のうち前記検索の結果として得られた設備に対応する属性情報とを対応付ける対応付け部とを有することを特徴とする請求項１に記載の配電管理装置。
【請求項５】
前記設備のうち架設によって設置がなされない非架設の設備と、当該非架設の設備が設置される位置とが対応付けられた位置情報を記憶する位置記憶部をさらに有し、
前記設備情報に含まれる設備のうち前記非架設の設備には、前記位置情報に含まれる位置のうち当該非架設の設備の位置がさらに対応付けられ、
前記設備情報に含まれる設備のうち架設によって設置がなされる架設の設備には、前記位置情報に含まれる位置のうち当該架設の設備の両端に対応する非架設の設備の位置が対応付けられるものであって、
前記出力部は、前記設備情報を参照して、前記検索の結果として得られた設備が非架設の設備である場合には、当該非架設の設備の位置を用いる一方で、前記検索の結果として得られた設備が架設の設備である場合には、当該架設の設備の両端の位置を用いて、前記非架設の設備及び前記架設の設備が地図上に配置された表示用データを出力することを特徴とする請求項４に記載の配電管理装置。
【請求項６】
前記電気接続情報に含まれる接続点の組合せ及び設備と、前記探索が実行された接続点の組合せ及び前記検索の結果として得られた設備とを比較することによって停電設備を検出する検出部をさらに有することを特徴とする請求項１に記載の配電管理装置。
【請求項７】
コンピュータが、
配電系統の設備が互いに電気的に接続する接続点の組合せと、前記接続点の組合せによって定まる設備とが対応付けられた電気接続情報を参照して、所定の接続点を起点とし、前記組合せに含まれる接続点のうち未探索の接続点を探索しながら当該組合せに対応する設備を検索し、
探索および検索が実行された後に、前記探索が実行された接続点の組合せ及び前記検索の結果として得られた設備を出力する
処理を実行することを特徴とする配電管理方法。
【請求項８】
コンピュータに、
配電系統の設備が互いに電気的に接続する接続点の組合せと、前記接続点の組合せによって定まる設備とが対応付けられた電気接続情報を参照して、所定の接続点を起点とし、前記組合せに含まれる接続点のうち未探索の接続点を探索しながら当該組合せに対応する設備を検索し、
探索および検索が実行された後に、前記探索が実行された接続点の組合せ及び前記検索の結果として得られた設備を出力する
処理を実行させることを特徴とする配電管理プログラム。
【国際調査報告】
2014054105.tif 000020
2014054105.tif 000021
2014054105.tif 000022